(57)【要約】【課題】入賞領域へ入賞し易い経路で流下する遊技球が他の経路から流下する遊技球との衝突により入賞領域へ入賞し難くなる可能性を低減する。【解決手段】高確率入賞経路ＬＫと通常経路ＬＴとの交差位置Ｚに対して前記通常経路からの遊技球進入側に侵入防止部材４１を設け、前記高確率入賞経路あるいは遊技球誘導部に遊技球が進入したことを検出する侵入防止部材用遊技球検出スイッチ４６を設け、前記高確率入賞経路あるいは遊技球誘導部への遊技球の進入が前記侵入防止部材用遊技球検出スイッチにより検出された場合に、駆動手段により前記侵入防止部材４１を遊技盤３の表面に突出させる第一状態にして、前記通常経路を流下する遊技球と前記侵入防止部材を接触させることにより前記遊技球が高確率入賞経路へ侵入するのを防止可能とする。【選択図】      図２
2005131151.tif 000002
【特許請求の範囲】
【請求項１】
遊技球が打ち込まれる遊技領域の形成された遊技盤と、
前記遊技領域に形成された入賞領域と、
前記遊技領域に配設され、進入してきた遊技球を略直下方向へ誘導する遊技球誘導形状からなる遊技球誘導部が設けられた遊技球転動部材と、
を備えた弾球遊技機において、
前記入賞領域を前記遊技球誘導部の略直下方向に配設することにより前記遊技球誘導部と前記入賞領域の間に形成され前記遊技球誘導部からの遊技球を前記入賞領域へ流下可能とする略直線状の高確率入賞経路と、
前記遊技球誘導部とは異なる位置からの遊技球を前記入賞領域へ向けて流下可能とし且つ前記高確率入賞経路と交差するように形成された通常経路と、
前記高確率入賞経路と前記通常経路の交差位置に対して、前記通常経路からの遊技球進入側に設けられ前記通常経路を流下してきた遊技球が前記高確率入賞経路へ侵入するのを防止可能な侵入防止部材と、
前記高確率入賞経路あるいは前記遊技球誘導部に遊技球が進入したことを検出する侵入防止部材用遊技球検出手段と、
前記侵入防止部材を、前記通常経路を流下してきた遊技球が前記高確率入賞経路へ侵入するのを防止可能な第一状態と侵入防止不可能な第二状態との間で変化させる駆動手段と、を備え、
前記高確率入賞経路あるいは前記遊技球誘導部への遊技球の進入が前記侵入防止部材用遊技球検出手段により検出された場合に、前記駆動手段により前記侵入防止部材を前記第一状態とすることを特徴とする弾球遊技機。
【請求項２】
前記侵入防止部材は、前記駆動手段により前記遊技盤の表面から突出及び後退可能とされ、前記突出状態が前記第一状態、前記後退状態が前記第二状態であることを特徴とする請求項１に記載の弾球遊技機。
【請求項３】
前記通常経路を流下する遊技球よりも前記高確率入賞経路を流下する遊技球の方が前記入賞領域へ入賞する確率が高くなるように、前記入賞領域の位置、前記遊技球誘導部の形状及び前記高確率入賞経路の遊技球流下方向が設定されていることを特徴とする請求項１又は２に記載の弾球遊技機。
【請求項４】
前記入賞領域は、前記入賞領域への遊技球の入球あるいは通過が遊技の当たり外れを判定する起因となる特定入賞領域とされ、前記判定の結果が当たりであったことを契機に通常遊技よりも遊技者にとって有利な特別遊技が実行可能に構成されたことを特徴とする請求項１から３の何れか一項に記載の弾球遊技機。
【請求項５】
前記遊技領域には、前記入賞領域に遊技球が入球あるいは通過することに起因して遊技状態を報知する報知手段を備えた電気的遊技装置が配設され、前記遊技球転動部材は前記電気的遊技装置に設けられていることを特徴とする請求項１から４の何れか一項に記載の弾球遊技機。
【発明の詳細な説明】
【技術分野】
【０００１】
本発明は、パチンコ遊技機等に代表される弾球遊技機に関する。
【背景技術】
【０００２】
従来、遊技領域を流下する遊技球が転動可能な遊技球転動部材と、前記遊技球転動部材の略下方側に位置する入賞領域とが遊技領域に設けられ、前記遊技球転動部材から流下した遊技球が前記入賞領域に入球あるいは通過しやすくなるように構成された弾球遊技機がある。
【０００３】
また、遊技領域に、図柄表示器と、棚板部と、始動入賞口を設け、前記始動入賞口への遊技球の入賞に基づいて前記図柄表示器で識別図柄が変動して停止する遊技機において、前記棚板部には、遊技球が揺動する揺動部を有する上ステージと、前記上ステージの揺動部に対して下方に位置する揺動部を有する下ステージを備え、前記上ステージ及び前記下ステージの少なくとも一方には、始動入賞口に向かって遊技球を落下させるための誘導部が設けられた遊技機もある。
【特許文献１】特開２００３−１６９９１９号公報
【発明の開示】
【発明が解決しようとする課題】
【０００４】
しかしながら、前者の遊技機にあっては、遊技球転動部材から流下する遊技球が、他の経路から前記入賞領域へ向けて流下する遊技球と衝突して、前記入賞領域への入球あるいは通過が妨げられ、遊技者に不満を抱かせる場合がある。
【０００５】
また、後者の遊技機にあっても、前記揺動部から始動入賞口に向かって流下する遊技球が他の経路から流下する遊技球と衝突することにより前記始動入賞口への入賞が妨げられることがあり、その場合には遊技者に不満を抱かせることになる。
【０００６】
本発明は、前記の点に鑑みなされたもので、入賞領域へ入賞し易い経路で流下する遊技球が他の経路から流下する遊技球との衝突により入賞領域へ入賞し難くなる可能性を低減することを目的とする。
【課題を解決するための手段】
【０００７】
請求項１の発明は、遊技球が打ち込まれる遊技領域の形成された遊技盤と、前記遊技領域に形成された入賞領域と、前記遊技領域に配設され、進入してきた遊技球を略直下方向へ誘導する遊技球誘導形状からなる遊技球誘導部が設けられた遊技球転動部材と、を備えた弾球遊技機において、前記入賞領域を前記遊技球誘導部の略直下方向に配設することにより前記遊技球誘導部と前記入賞領域の間に形成され前記遊技球誘導部からの遊技球を前記入賞領域へ流下可能とする略直線状の高確率入賞経路と、前記遊技球誘導部とは異なる位置からの遊技球を前記入賞領域へ向けて流下可能とし且つ前記高確率入賞経路と交差するように形成された通常経路と、前記高確率入賞経路と前記通常経路の交差位置に対して、前記通常経路からの遊技球進入側に設けられ前記通常経路を流下してきた遊技球が前記高確率入賞経路へ侵入するのを防止可能な侵入防止部材と、前記高確率入賞経路あるいは前記遊技球誘導部に遊技球が進入したことを検出する侵入防止部材用遊技球検出手段と、前記侵入防止部材を、前記通常経路を流下してきた遊技球が前記高確率入賞経路へ侵入するのを防止可能な第一状態と侵入防止不可能な第二状態との間で変化させる駆動手段と、を備え、前記高確率入賞経路あるいは前記遊技球誘導部への遊技球の進入が前記侵入防止部材用遊技球検出手段により検出された場合に、前記駆動手段により前記侵入防止部材を前記第一状態とすることを特徴とする。
【０００８】
請求項２の発明は、請求項１において、前記侵入防止部材は、前記駆動手段により前記遊技盤の表面から突出及び後退可能とされ、前記突出状態が前記第一状態、前記後退状態が前記第二状態であることを特徴とする。
【０００９】
請求項３の発明は、請求項１又は２において、前記通常経路を流下する遊技球よりも前記高確率入賞経路を流下する遊技球の方が前記入賞領域へ入賞する確率が高くなるように、前記入賞領域の位置、前記遊技球誘導部の形状及び前記高確率入賞経路の遊技球流下方向が設定されていることを特徴とする。
【００１０】
請求項４の発明は、請求項１から３の何れか一項において、前記入賞領域は、前記入賞領域への遊技球の入球あるいは通過が遊技の当たり外れを判定する起因となる特定入賞領域とされ、前記判定の結果が当たりであったことを契機に通常遊技よりも遊技者にとって有利な特別遊技が実行可能に構成されたことを特徴とする。
【００１１】
請求項５の発明は、請求項１から４の何れか一項において、前記遊技領域には、前記入賞領域に遊技球が入球あるいは通過することに起因して遊技状態を報知する報知手段を備えた電気的遊技装置が配設され、前記遊技球転動部材は前記電気的遊技装置に設けられていることを特徴とする。
【発明の効果】
【００１２】
請求項１の発明によれば、入賞領域を遊技球誘導部の略直下方向に配設することにより前記遊技球誘導部と前記入賞領域の間に形成され前記遊技球誘導部からの遊技球を前記入賞領域へ流下可能とする略直線状の高確率入賞経路と、前記遊技球誘導部とは異なる位置からの遊技球を前記入賞領域へ向けて流下可能とし且つ前記高確率入賞経路と交差するように形成された通常経路と、前記高確率入賞経路と前記通常経路の交差位置に対して、前記通常経路からの遊技球進入側に設けられ前記通常経路を流下してきた遊技球が前記高確率入賞経路へ侵入するのを防止可能な侵入防止部材と、前記高確率入賞経路あるいは前記遊技球誘導部に遊技球が進入したことを検出する遊技球検出手段と、前記侵入防止部材を、前記通常経路を流下してきた遊技球が前記高確率入賞経路へ侵入するのを防止可能な第一状態と侵入防止不可能な第二状態との間で変化させる駆動手段と、を備え、前記高確率入賞経路あるいは前記遊技球誘導部への遊技球の進入が前記遊技球検出手段により検出された場合に、前記駆動手段により前記侵入防止部材を前記第一状態とするように構成したため、前記第一状態では、前記入賞領域へ入賞し易い高確率入賞経路を流下する遊技球が通常経路から流下する遊技球により入賞領域に入賞し難くなる可能性を低減することができる。
【００１３】
請求項２の発明によれば、前記侵入防止部材は、前記駆動手段により前記遊技盤の表面から突出及び後退可能とされ、前記突出状態が前記第一状態、前記後退状態が前記第二状態であるため、前記第一状態では、前記通常経路を流下してきた遊技球が前記高確率入賞経路へ侵入するのを前記侵入防止部材により防止することが可能になり、前記第二状態では前記通常経路を流下してきた遊技球が前記高確率入賞経路へ侵入するのを前記侵入防止部材により防止不可能にすることが可能である。
【００１４】
請求項３発明によれば、前記通常経路を流下する遊技球よりも前記高確率入賞経路を流下する遊技球の方が前記入賞領域に入球あるいは通過する確率が高くなるように、前記入賞領域の位置、前記遊技球誘導部の形状及び前記高確率入賞経路の遊技球流下方向が設定されているため、前記通常経路を流下する遊技球と前記高確率入賞経路を流下する遊技球各々における入賞領域への入賞確率を異ならせることが可能である。
【００１５】
請求項４の発明によれば、前記入賞領域は、前記入賞領域への遊技球の入球あるいは通過が遊技の当たり外れを判定する起因となる特定入賞領域とされ、前記判定の結果が当たりであったことを契機に通常遊技よりも遊技者にとって有利な特別遊技が実行可能に構成されているため、前記特定入賞領域に入賞し難い可能性が低減され、遊技の趣向性を高めることができる。
【００１６】
請求項５の発明によれば、遊技領域には、前記入賞領域に遊技球が入球あるいは通過することに起因して遊技状態を報知する報知手段を備えた電気的遊技装置が配設され、前記遊技球転動部材は前記電気的遊技装置に設けられているため、遊技状態を認識することが可能であると共に、前記遊技状態の認識時に前記遊技球転動部材における遊技球の状態を認識することも可能にできる。
【発明を実施するための最良の形態】
【００１７】
以下、添付の図面に基づき本発明の実施形態を説明する。図１は本発明の第一実施例に係る弾球遊技機全体を示す正面図、図２は同実施例におけるステージ（遊技球転動部材）から始動入賞口付近を示す正面図、図３は同実施におけるステージ（遊技球転動部材）の一部を示す斜視図、図４は図２のＡ−Ａ断面図、図５は同弾球遊技機における電気制御を簡略に示すブロック図、図６は第二実施例における侵入防止部材が配設された弾球遊技機の一部を示す正面図、図７は図６のＢ−Ｂ断面図、図８は図６のＣ−Ｃ断面図、図９は第三実施例に係る弾球遊技機全体を示す正面図、図１０は第三実施例における第二始動入賞口及び第二高確率入賞経路付近を示す正面図である。
【００１８】
図１に示す第一実施例の弾球遊技機１は、遊技媒体として遊技球を用いるパチンコ遊技機であって、遊技盤３の縁に外レール４及び内レール５で構成される遊技領域６が前記遊技盤３上に設けられている。前記遊技領域６の中心線上にその上部から下部に向かって順に図柄表示装置９、始動入賞口１０、特別電動役物である大入賞口１５、アウト口１７が配設され、また上部左右にはランプ風車１８ａ，１８ｂ、中央左右には普通図柄変動開始用左ゲート１９と右ゲート２１、その下側左右に風車２２ａ，２２ｂ、さらにその外側下方に左袖入賞口２３と右袖入賞口２５、その下方に左落とし入賞口２７と右落とし入賞口２９が配設されている。さらに、図柄表示装置９と前記始動入賞口１０間における前記遊技領域６の中心線よりも左側に侵入防止部材４１が配設されている。また、前記遊技領域６には、前記遊技領域６に打ち込まれた遊技球の自由な流下を阻止したり、流下方向をランダムな方向に変更したりする誘導釘Ｊが立設されている。
【００１９】
前記弾球遊技機１の前面側には、ランプ表示器３５（枠飾り上ランプ３５ａ、枠飾り右ランプ３５ｂ、縁飾り左ランプ３５ｃ）、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を前記遊技領域６に向けて弾発発射する球発射装置６４が設けられ、さらにプリペイドカードユニット６６が接続されている。前記球発射装置６４によって発射された遊技球は、前記外レール４と前記内レール５間を通って前記遊技領域６へ打ち込まれる。なお、符号Ｆ１は弾球遊技機の外枠、Ｆ２は外枠Ｆ１に取り付けられた前枠、Ｇは前枠Ｆ２に開閉可能にヒンジで取り付けられたガラス枠である。以下主要な部分について説明する。
【００２０】
前記図柄表示装置９は、請求項５の電気的遊技装置に相当する。前記図柄表示装置９は、枠部９ａと、前記枠部９ａで囲まれた特別図柄表示部４２と、前記特別図柄表示部４２の左下に組み込まれた普通図柄表示部４３とよりなる。前記特別図柄表示部４２は、請求項５の遊技状態を報知する報知手段に相当する。前記遊技状態としては、前記始動入賞口１０へ入賞した遊技状態や、大当たりによる特別遊技状態等がある。また、前記遊技状態の報知としては、前記始動入賞口１０への入賞に起因して前記特別図柄表示部４２で特別図柄を変動させたり、その後の特別図柄の停止により大当たりか否かを示したり、大当たりの場合には特別図柄の変動停止時の特別図柄を特定の組み合わせにしたり、特別遊技状態時には特別遊技状態を示す表示を行ったりする等が挙げられる。前記特別図柄表示部４２は、液晶，ドットマトリックス若しくはＬＥＤ表示装置等の表示装置からなる。本実施例では、液晶表示器（ＴＦＴ−ＬＣＤモジュール）で構成される。前記普通図柄表示部４５は、液晶表示器の一部を表示領域としている。
【００２１】
前記特別図柄表示部４２は、図柄を可変表示可能なものとされ、左右に並ぶ左側表示領域、中央表示領域、右側表示領域の３つに分割された特別図柄表示領域を有し、前記特別図柄表示領域に大当たりの当否判定結果用の特別図柄が表示される。前記左側表示領域には左特別図柄が、中央表示領域には中特別図柄が、右側表示領域には右特別図柄が変動表示及び停止表示可能とされ、停止表示された図柄組合せによって当否判定結果が表示され、それによって遊技者に当否判定結果を報知する。本実施例における前記左側表示領域、中央表示領域、右側表示領域にそれぞれ表示される特別図柄は、『０，１，２，３，４，５，６，７，８，９，１０，１１』の１２種類の図柄とされている。また、前記特別図柄表示部４２には、前記特別図柄とは異なる画像、例えば前記特別図柄とは異なる他の図柄、キャラクター画像、背景画像、文字画像等が前記特別図柄に加えて表示可能とされ、前記他の図柄、キャラクター画像、背景画像、文字画像等が特別図柄の変動開始等の所定条件に起因して変動表示可能となっている。
【００２２】
前記普通図柄表示部４３は、小当たり判定図柄として記号或いは絵等からなる普通図柄を変動表示及び停止表示可能とされている。本実施例における前記普通図柄表示部４３に変動及び停止表示される普通図柄（小当たり判定図柄）は、『０，１，２，３，４，５，６，７，８，９』の１０通りの図柄とされており、所定条件に起因して変動及び停止表示される。
【００２３】
また、前記図柄表示装置９には、図２及び図３からも理解されるように、前記窓枠９ａにおける前記特別図柄表示部４２の下方位置に、上面が凹面となるように湾曲した弧状のステージ４４が設けられている。前記ステージ４４は、本発明の請求項１における遊技球転動部材に相当し、前記図柄表示装置９の上方の誘導釘Ｊ間から前記ステージ４４上に落下した遊技球を左右に転動（揺動）可能になっている。前記遊技球転動部材としてのステージ４４は、前記のように遊技球を左右に転動（揺動）させることから遊技球揺動部材と称することもできる。前記ステージ４４は、両側部分が遊技球の転動（揺動）可能な転動部（揺動部）４４ｂを構成し、且つ前記転動部（揺動部）４４ｂの前方側（ガラス枠Ｇ側、遊技者側）４４ａが下方へ傾斜して形成され、前記遊技球が転動中に下方へ落下可能となっている。さらに、前記ステージ４４の中央位置には遊技球を略直下方向（図示の例では直下方向）へ誘導する遊技球誘導形状からなる遊技球誘導部４５が設けられている。本実施例のステージ４４は、金属板状が弧状に湾曲したものからなり、前記遊技球誘導部４５の遊技球誘導形状は、前記ステージ４４の中央が下方へ窪んだ凹形状からなり、さらに下面の前方側４５ａが下方へ傾斜して前記遊技球誘導部４５の遊技球を直下方向へ落下し易くしている。
【００２４】
前記遊技球誘導部４５には、前記遊技球誘導部４５に遊技球が進入したことを検出する侵入防止部材用遊技球検出スイッチ（請求項１における侵入防止部材用遊技球検出手段）４６が遊技盤３の裏側に設けられている。前記侵入防止部材用遊技球検出スイッチ４６による検出信号は、後記する主制御回路へ送信される。なお、前記侵入防止部材用遊技球検出スイッチ４６の位置は、後記の高確率入賞経路ＬＫにおける通常経路ＬＴとの交差位置Ｚ（図２に示す）より上方の遊技盤３の裏側として、高確率入賞経路ＬＫに遊技球が進入したことを検出するようにしてもよい。
【００２５】
前記ステージ４４の遊技球誘導部４５と前記始動入賞口１０間には、前記遊技球誘導部４５から直下方向へ流下した遊技球を前記始動入賞口１０へ流下可能とする高確率入賞経路ＬＫが設けられている。前記高確率入賞経路ＬＫは、前記遊技球誘導部４５の直下方向に直線状に前記始動入賞口１０に至るように形成されている。前記高確率入賞経路ＬＫは、前記始動入賞口１０の垂直線に対して傾斜し前記高確率入賞経路ＬＫと交差する通常経路ＬＴに比べ、前記始動入賞口１０への入賞（入球）確率が高くなるように、前記始動入賞口１０の位置、前記遊技球誘導部４５の形状、前記高確率入賞経路ＬＫの遊技球流下方向が設定されている。本実施例では、前記始動入賞口１０への遊技球の入賞確率が、前記通常経路ＬＴよりも前記高確率入賞経路ＬＫの方で高くなるようにするため、前記始動入賞口１０を前記遊技球誘導部４５の直下方向に位置させたり、前記遊技球誘導部４５の形状を遊技球が真っ直ぐ下方へ流下し易い前記凹形状にしたり、前記高確率入賞経路ＬＫの遊技球流下方向を前記遊技球誘導部４５の直下方向の前記始動入賞口１０に至る方向にしたりしている。
【００２６】
前記通常経路ＬＴに関し、本実施例では、前記遊技領域６の中心線より左側、すなわち前記高確率入賞経路ＬＫの左側において、前記表示装置９の下側に前記高確率入賞経路ＬＫへ向けて傾斜した一列状に通常経路用誘導釘ＪＴを遊技盤３表面に複数立設し、前記一列状の複数の誘導釘ＪＴ上及びその延長上を、遊技球の流下（誘導）可能な第一通常経路ＬＴａとし、また前記遊技領域６の中心線より右側、すなわち前記高確率入賞経路ＬＫの右側では、前記表示装置９の下側に前記高確率入賞経路ＬＫへ向けて傾斜した一列状に通常経路用誘導釘ＪＴを遊技盤３の表面に複数立設し、前記一列状の複数の誘導釘ＪＴ上及びその延長上を、遊技球の流下（誘導）可能な第二通常経路ＬＴｂに設定している。前記一列に配設された複数の誘導釘ＪＴの下流方向先端位置の誘導釘ＪＴａは、第一通常経路ＬＴａ及び第二通常経路ＬＴｂそれぞれにおいて、前記高確率入賞経路ＬＫの手前にあり、前記第一通常経路ＬＴａあるいは第二通常経路ＬＴｂを流下してきた遊技球ＰＴは、前記各通常経路ＬＴａ，ＬＴｂの先端の誘導釘ＪＴａに接触して落下し、場合によっては前記始動入賞口１０への入賞が可能となる。なお、前記第一通常経路ＬＴａ及び第二通常経路ＬＴｂは、それぞれ一列状の複数の誘導釘ＪＴ及びその延長上として設定されているが、それに限るものではなく、例えば、前記ステージ４４のうち、前記遊技球誘導部４５以外の部分（前記転動部４４ｂ）から流下する遊技球の流下経路であってもよい。
【００２７】
前記侵入防止部材４１は、前記通常経路ＬＴを流下してきた遊技球ＰＴが、前記高確率入賞経路ＬＫに侵入して、前記高確率入賞経路ＬＫを流下中の遊技球ＰＫと衝突するのを防止し、前記高確率入賞経路ＬＫを流下中の遊技球ＰＫが前記衝突により前記高確率入賞経路ＬＫから外れるのを防ぐためのものである。前記侵入防止部材４１は、前記高確率入賞経路ＬＫと前記通常経路ＬＴとの交差位置Ｚよりも前記通常経路ＬＴの上流側（前記交差位置Ｚに対して前記通常経路ＬＴからの遊技球進入側）における前記通常経路ＬＴの途中位置に配設され、前記通常経路ＬＴを流下してくる遊技球ＰＴが前記高確率入賞経路ＬＫへ侵入する前に、前記侵入防止部材４１と接触可能とされる。そして、その接触によって前記高確率入賞経路ＬＫへの侵入が防止可能となっている。この第一実施例では、前記高確率入賞経路ＬＫと前記第一通常経路ＬＴａの交差位置Ｚよりも前記第一通常経路ＬＴａの上流側（前記高確率入賞経路ＬＫに対して前記第一通常経路ＬＴａからの遊技球進入側であり、前記高確率入賞経路ＬＫの左側）における前記第一通常経路ＬＴａの途中位置に、前記侵入防止部材４１が設けられている。
【００２８】
また前記侵入防止部材４１は、ブロック状あるいは板状体等からなり、さらに、前記侵入防止部材４１が一方の通常経路（前記第一通常経路ＬＴａ）の途中にのみ設けられている。この第一実施例では、他方の通常経路（前記第二通常経路ＬＴｂ）を流下してきた遊技球が、前記高確率入賞経路ＬＫとの交差位置Ｚを超えてさらに流下し、前記侵入防止部材４１と接触して軌道が変更され、それによって前記始動入賞口１０へ過度に多く入賞するのを防止可能とするため、前記他方の通常経路（前記第二通常経路ＬＴｂ）を流下する遊技球と接触しないように、前記侵入防止部材４１の配設位置や傾斜角度が設定されている。以上の構成にすることで、他方の通常経路（前記第二通常経路ＬＴｂ）を流下している遊技球が過度に多く前記始動入賞口１０に入賞し、遊技店側が極めて不利な状態になる虞を低減することが可能である。
【００２９】
さらに、前記侵入防止部材４１は、図４から理解されるように、前記遊技盤３の裏側に配設された前進後退可能な作動部４７ａを有するソレノイド４７（請求項１及び２における駆動手段）によって、前記遊技盤３の表面から突出した第一状態（図４の波線で示す４１ｂ）と、前記遊技盤３の表面から後退した第二状態（図４の実線で示す４１ｃ）間を前進後退可能とされている。前記第一状態においては、前記侵入防止部材４１が前記遊技盤３の表面から突出した状態となるため、前記通常経路ＬＴ（第一実施例では第一通常経路ＬＴａ）を流下する遊技球ＰＴは、前記高確率入賞経路ＬＫへ侵入する前に前記侵入防止部材４１に接触して軌道が変更され、前記高確率入賞経路ＬＫへの侵入が防止可能となり、それに対して前記第二状態においては、前記侵入防止部材４１が前記遊技盤３の表面から後退した状態となるため、前記通常経路ＬＴ（第一実施例では第一通常経路ＬＴａ）を流下する遊技球ＰＴは、前記侵入防止部材４１と接触できなくなり、前記遊技球ＰＴの前記高確率入賞経路ＬＫへの侵入防止不可能となる。
【００３０】
前記侵入防止部材４１は、通常は前記遊技盤３の表面から後退した第二状態とされる。そのため、前記通常経路ＬＴ（第一通常経路ＬＴａ）を流下してくる遊技球ＰＴは、前記侵入防止部材４１と接触することなく前記遊技領域６を流下し、前記高確率入賞経路ＬＫへ侵入する可能性がある。それに対し、前記侵入防止部材用遊技球検出スイッチ（侵入防止部材用遊技球検出手段）４６により、前記遊技球誘導部４５に遊技球が進入したこと（前記侵入防止部材用遊技球検出スイッチ４６が前記高確率入賞経路ＬＫに設けられている場合には前記高確率入賞経路ＬＫに遊技球が進入したこと）が検出されると、前記検出信号が主制御回路へ送信され、主制御回路からの制御信号によって前記ソレノイド４７が作動し、前記侵入防止部材４１が前記遊技盤３の表面から突出した第一状態に所定期間され、その後再び前記第二状態に戻る。前記第一状態において、前記通常経路ＬＴ（第一通常経路ＬＴａ）を流下してくる遊技球ＰＴは、前記高確率入賞経路ＬＫへ侵入する前に前記侵入防止部材４１に接触して軌道が変更され、前記高確率入賞経路ＬＫへの侵入が防止可能となる。そのため、前記高確率入賞経路ＬＫを流下してくる遊技球ＰＫは、前記通常経路ＬＴ（第一通常経路ＬＴａ）を流下してくる遊技球ＰＴと衝突することなく、前記始動入賞口１０へ入賞することが可能になる。
【００３１】
なお、前記第一状態にされる所定期間としては、前記侵入防止部材用遊技球検出スイッチ４６による遊技球の検出から、前記高確率入賞経路ＬＫを流下する遊技球ＰＫが前記始動入賞口１０へ入賞するまでの時間を予め設定しておいたり、あるいは前記侵入防止部材用遊技球検出スイッチ４６による遊技球の検出時点から、前記始動入賞口１０への遊技球の入賞が後記の特別図柄変動開始スイッチ（始動入賞口センサー）で検出された時点までとし、特別図柄変動開始スイッチ（始動入賞口センサー）による遊技球検出によって前記侵入防止部材４１が第二状態に戻るように設定してもよい。
【００３２】
また、この第一実施例では、前記侵入防止部材４１を、前記高確率入賞経路ＬＫの左側の前記第一通常経路ＬＴａの途中に設けたが、前記高確率入賞経路ＬＫの右側の前記第二通常経路ＬＴｂの途中に設けてもよい。
【００３３】
前記始動入賞口１０は、本発明の請求項１における入賞領域に相当し、さらには遊技の当たり外れ（大当たりか否か）を判定する起因となる本発明の請求項４における特定入賞領域に相当するもので、前記遊技球誘導部４５の直下方向に設けられている。前記始動入賞口１０には、図２からも容易に理解されるように、２つの可動片（羽根状役物）１０ａ，１０ｂが設けられ、図４に示すように背面の始動入賞口用ソレノイド１０ｃにより略垂直な平行状態と、略Ｖ字形（逆ハの字形）をした拡開状態間を変化可能とされている。前記可動片１０ａ，１０ｂが略垂直な平行状態になると、遊技球が前記可動片１０ａ，１０ｂ間を通って始動入賞口１０へ入球し難くなり、それに対し、前記可動片１０ａ，１０ｂが拡開状態になると、遊技球が前記可動片１０ａ，１０ｂ間を通って前記始動入賞口１０へ入球しやすくなる。本実施例では、前記可動片１０ａ，１０ｂは、通常時に略垂直状態とされ、前記普通図柄表示部４３の普通図柄（小当たり判定図柄）が変動した後、予め決められた特定の普通図柄で確定停止表示されて小当たり（普通図柄当たり）が表示されることにより、前記拡開状態となる。
【００３４】
また、前記遊技盤３の背面には、前記始動入賞口１０に入球（入賞）した遊技球を検出する特別図柄変動開始スイッチ（始動入賞口センサー）が入球遊技球（入賞球）用通路に設けられており、該入球遊技球（入賞球）が検出されると、遊技の大当たりを判定するための大当たり判定用乱数が取得され、前記特別図柄柄表示部４２で特別図柄の変動が開始される（遊技状態の報知の一種）。そして、前記取得された大当たり判定用乱数が大当たりであったことを契機に、前記特別図柄表示部４２で特別図柄が特定の図柄組み合わせで停止表示されて大当たりが表示される（遊技状態の報知の一種）と共に、大当たりまでの通常遊技に比べ遊技者にとって有利な特別遊技が実行される。
【００３５】
前記普通図柄変動開始用左ゲート１９及び普通図柄変動開始用右ゲート２１は、小当たり用始動入賞口に相当するものであり、前記遊技盤３の背面には遊技球が前記両ゲート１９，２１に入球したことを検出する普通図柄変動開始スイッチを備えている。前記普通図柄変動開始スイッチで遊技球が検出されると、遊技の小当たりを判定するための小当たり判定用乱数が取得され、前記普通図柄表示部４３で普通図柄の変動が開始する。前記取得された小当たり判定用乱数が小当たりの場合には、前記普通図柄表示部４３で普通図柄が特定の図柄で停止表示されることによって小当たりが表示され、前記始動入賞口１０の前記可動片１０ａ，１０ｂが拡開状態になる。
【００３６】
また、前記左袖入賞口２３と右袖入賞口２５には入賞球（入球遊技球）を検出する左袖入賞口用検出スイッチと右袖入賞口用検出スイッチが、他方前記左落とし入賞口２７と右落とし入賞口２９には入賞球（入球遊技球）を検出する左落とし入賞口用検出スイッチと右落とし入賞口用検出スイッチが、それぞれ対応する遊技盤背面に設けられている。
【００３７】
前記大入賞口１５は、遊技盤背面の大入賞口開放用ソレノイドによって開閉する開閉板６１を備えている。この大入賞口１５は、通常は開閉板６１が閉じた状態とされ、当該大入賞口１５の一部には、該大入賞口１５が開いた際に開口して入賞（入球）可能にする特定領域入賞口６３を有する。さらに、前記特定領域入賞口６３には、所定条件時に特定領域開放用ソレノイドにより開閉される開閉扉（図示せず）が設けられている。また、前記特定領域入賞口６３には特定領域入賞口６３への入賞球（入球遊技球）を検出する特定入賞球検出スイッチ（特定領域センサー）が設けられ、該入賞球の検出により大入賞口１５を再度開ける継続権利が成立するようにされている。前記大入賞口１５内の略中央には、前記大入賞口１５に入賞し、かつ前記特定領域入賞口６３に入賞しなかった入賞球を検出する入賞球数カウントスイッチ（カウントセンサー）が設けられている。
【００３８】
前記大入賞口１５は、前記特別遊技状態時に前記開閉板６１が開いて前記遊技領域６の表面を落下してくる遊技球を受け止め、前記大入賞口１５へ入賞（入球）可能にする。そして、前記大入賞口１５への入賞があると、賞球払出装置（図示せず）により所定数の遊技球が賞球として払い出される。前記大入賞口１５の開閉板６１は、所定時間（例えば２９．５秒）経過後、或いは前記入賞球数カウントスイッチで検出された入賞球数が所定個数（例えば１０個）となった時点で閉じるようにされている。
【００３９】
また、前記大入賞口１５の開放中又は大入賞口１５が閉じてから約２秒以内に、前記特定領域入賞口６３への入賞球を特定入賞球検出スイッチが検出すると、前記大当たりを再度繰り返す継続権利が発生し、所定最高回数（例えば最高１５回又は１３回）、前記開閉板６１の開放を繰り返すようになっている。
【００４０】
前記発射装置６４は、操作レバー６５の操作により遊技機内側の発射モータが作動して遊技球を弾発発射するようになっている。前記発射装置６４により発射された発射球は、前記遊技盤面に立設された外側誘導レール４と内側誘導レール５間で構成される発射球誘導路を介して遊技領域６に誘導されるようになっている。前記発射球誘導路により遊技領域６に誘導された遊技球は、転動しつつ下方へ落下し、前記始動入賞口１０や各入賞口に入賞（入球）するか、或いは何処にも入賞（入球）しなければ前記アウト口１７から遊技盤３の裏側へ排出されるように構成されている。
【００４１】
また、前記遊技機１の裏側には、遊技を制御するための複数の制御回路や装置が設けられている。図５のブロック図は同遊技機の電気制御を簡略に示すものであり、前記制御回路として、主制御回路７０、表示制御回路９０、発光体制御回路８８、払出制御回路１１０、音声制御回路１２０等が示されている。
【００４２】
前記主制御回路７０は、主制御手段に相当し、プログラムに従って制御動作を行うＣＰＵ７２、該ＣＰＵ７２のワーク用メモリとして機能するＲＡＭ７３、遊技制御用プログラムを記憶するＲＯＭ７４を備えたワンチップマイクロコンピュータ７１、該ワンチップコンピュータ７１と表示制御回路９０等を結ぶＩ／Ｏ（入出力）バス７５，７６、出力ポート７７、ドライバ７８、バッファゲート７９、インターフェイス８０等により構成され、前記プログラムの実施により機能する初期設定手段、データ取得手段、大当たり当否判定手段、特別遊技実行手段、記憶手段、データ読み出し手段、記憶制御手段及び小当たり判定手段等を備える。
【００４３】
前記ＣＰＵ７２は、制御部、演算部、各種レジスタ、各種フラグ等を備え、演算制御を行う他、遊技の制御に使用する乱数値の生成、例えば、特別図柄による大当たり（特別遊技状態）の発生や普通図柄による小当たりの発生を定める乱数、さらには表示制御回路９０等のサブ制御回路や他の制御装置に対する制御信号（コマンド）等をプログラムに従って生成する。
【００４４】
前記ＲＡＭ７３は前記特別図柄変動開始スイッチの検出信号や普通図柄変動開始スイッチの検出信号及び前記侵入防止部材用遊技球検出スイッチの検出信号用の記憶領域、前記ＣＰＵ７２で生成される各種乱数用の記憶領域、各種データを一時的に記憶する記憶領域やフラグ、並びに前記ＣＰＵ７２の作業領域を備える。また、前記ＲＯＭ７４には、遊技上の制御プログラムや制御データ、制御信号（コマンド）が書き込まれている他、大当たり及び小当たりの判定値等が書き込まれている。
【００４５】
その他、前記ワンチップマイクロコンピュータ７１には、遊技機１の電源投入時に各種制御情報を初期化する初期リセット回路と、ワンチップマイクロコンピュータ７１のＲＯＭ７４に記憶されている遊技制御用プログラムを定期的（この例では２ｍｓｅｃ毎）に実行させる定期リセット回路が設けられている。
【００４６】
前記主制御回路７０から出力される制御信号（コマンド）は、前記Ｉ／Ｏバス７５や出力ポート７７、ドライバ７８を介して種々のサブ制御回路や装置を制御する。すなわち、前記ドライバ７８には始動入賞口１０、大入賞口１５、侵入防止部材用ソレノイド（駆動手段）４７、情報出力回路８３等が接続され、前記出力ポート７７には表示制御回路９０、発光体制御回路８８、音声制御回路１２０が接続され、前記Ｉ／Ｏバス７５には音声制御回路１２０が接続されている。なお、前記情報出力回路８３には、ホストコンピュータであるホール用の管理装置８４が接続され、大当たり情報や図柄確定情報、確率変動情報等の各種遊技情報が出力される。
【００４７】
前記表示制御回路９０は、前記主制御回路７０から特別図柄の変動態様、停止特別図柄、各種遊技状態の制御信号（コマンド）を受信し、受信した制御信号に基づいて所定の表示制御処理を行うサブ制御回路（サブ制御手段）であって、この表示制御回路９０に接続されている前記特別図柄表示部４２、前記普通図柄表示部４３、前記発光体制御回路８８、前記音声制御回路１２０の制御を行う。
【００４８】
前記発光体制御回路８８は、前記ランプ表示器３５（枠飾り上ランプ３５ａ、枠飾り右ランプ３５ｂ、枠飾り左ランプ３５ｃ）が接続され、前記発光体制御回路８８によって前記ランプ表示器３５の発光が制御される。また、前記払出制御回路１１０では、遊技媒体払出装置（図示せず）による遊技媒体（賞品球や貸球）の払い出しを制御する。
【００４９】
前記音声制御回路１２０は、音声制御手段に相当し、音声発生手段としてのスピーカ３８が接続され、前記主制御回路７０及び表示制御回路９０から受信した音声制御信号（コマンド）に基づいて前記スピーカ３８からの音声発生を制御する。
【００５０】
また、前記主制御回路７０のインターフェィス８０には、特別図柄変動開始スイッチ、普通図柄変動開始スイッチ、特定入賞球検出スイッチ、入賞球数カウントスイッチ、その他の入賞口用検出スイッチ、侵入防止部材用遊技球検出スイッチ４６等が接続され、各検出スィッチ等から出力される検出信号が前記インターフェイス８０を介してワンチップマイクロコンピュータ７１に送信されるようになっている。
【００５１】
その他、前記主制御回路７０には、電源回路８７と、前記発射装置６４による遊技球の発射を制御するための発射制御回路１００が接続されている。
【００５２】
図６は第二実施例の遊技機の一部を示す正面図、図７は図６のＢ−Ｂ断面図、図８は図６のＣ−Ｃ断面図である。この第二実施例では、前記第一実施例における侵入防止部材４１に相当する侵入防止部材４１０ａ，４１０ｂを、前記高確率入賞経路ＬＫの両側で前記高確率入賞経路ＬＫを挟むように設けた構成からなり、他の構成は前記第一実施例と同様である。なお、前記第一実施例と同様の部分については、前記第一実施例で用いた符号と同じ符号で示すと共に、説明を省略あるいは簡略にし、相違する部分についてのみ詳細に説明する。
【００５３】
第二実施例では、前記高確率入賞経路ＬＫの左側については、前記第一通常経路ＬＴａと前記高確率入賞経路ＬＫとの交差位置Ｚよりも前記第一通常経路ＬＴａの上流側（前記交差位置Ｚに対して前記第一通常経路ＬＴａからの遊技球進入側）に第一侵入防止部材４１０ａが設けられて、前記第一通常経路を流下してきた遊技球ＰＴａが前記高確率入賞経路ＬＫへ侵入するのが防止可能とされ、また前記高確率入賞経路ＬＫの右側については、前記第二通常経路ＬＴｂと前記高確率入賞経路ＬＫとの交差位置Ｚよりも前記第二通常経路ＬＴｂの上流側（前記交差位置Ｚに対して前記第二通常経路ＬＴｂからの遊技球進入側）に第二侵入防止部材４１０ｂが設けられて、前記第二通常経路ＬＴｂを流下してきた遊技球ＰＴｂが前記高確率入賞経路ＬＫへ侵入するのが防止可能とされている。
【００５４】
さらに、前記第一侵入防止部材４１０ａ及び前記第二侵入防止部材４１０ｂは、図７及び図８から理解されるように、前記遊技盤３の裏側に配設された前進後退可能な作動部４７１ａ，４７１ｂを有するソレノイド４７２ａ，４７２ｂ（請求項１及び２における駆動手段）によって、前記遊技盤３の表面から突出した第一状態（図７，図８の波線で示す４１１ａ，４１１ｂ）と、前記遊技盤３の表面から後退した第二状態（図７，図８の実線で示す４１２ａ，４１２ｂ）間を前進後退可能とされている。前記第一状態においては、前記第一侵入防止部材４１０ａと第二侵入防止部材４１０ｂが前記遊技盤３の表面から突出した状態となるため、前記第一通常経路ＬＴａを流下する遊技球ＰＴａは前記高確率入賞経路ＬＫへ侵入する前に前記第一侵入防止部材４１０ａに接触して軌道が変更され、また、前記第二通常経路ＬＴｂを流下する遊技球ＰＴｂは前記高確率入賞経路ＬＫへ侵入する前に前記第二侵入防止部材４１０ｂに接触して軌道が変更され、それぞれ前記高確率入賞経路ＬＫへの侵入が防止可能となる。それに対して前記第二状態においては、前記第一侵入防止部材４１０ａ及び前記第二侵入防止部材４１０ｂが前記遊技盤３の表面から後退した状態となるため、前記第一通常経路ＬＴａを流下する遊技球ＰＴａ及び前記第二通常経路ＬＴｂを流下する遊技球ＰＴｂが、前記第一侵入防止部材４１０ａや前記第二侵入防止部材４１０ｂと接触できなくなるため、前記高確率入賞経路ＬＫへの前記遊技球ＰＴａ，ＰＴｂの侵入防止が不可能となる。
【００５５】
前記侵入防止部材４１０ａ，４１０ｂは、通常は前記遊技盤３の表面から後退した第二状態とされる。そのため、前記第一通常経路ＬＴａを流下してくる遊技球ＰＴａ及び前記第二通常経路ＬＴｂを流下してくる遊技球ＰＴｂは、前記第一侵入防止部材４１０ａや前記第二侵入防止部材４１０ｂと接触することなく流下し、前記第一通常経路ＬＴａや前記第二通常経路ＬＴｂと前記高確率入賞経路ＬＫとの交差位置Ｚを超えて流下することがある。なお、前記第一通常経路ＬＴａと前記第二通常経路ＬＴｂが前記高確率入賞経路ＬＫに対して対称に配設されていない場合には、前記第一通常経路ＬＴａと前記高確率入賞経路ＬＫとの交差位置と、前記第二通常経路ＬＴｂと前記高確率入賞経路ＬＫとの交差位置は一致せず、異なる位置となるが、本発明はそのような交差位置が異なる場合でもよい。
【００５６】
それに対し、前記侵入防止部材用遊技球検出スイッチ（侵入防止部材用遊技球検出手段）４６により、前記遊技球誘導部４５に遊技球が進入したこと（前記侵入防止部材用遊技球検出スイッチ４６が前記高確率入賞経路ＬＫに設けられている場合には前記高確率入賞経路ＬＫに遊技球が進入したこと）が検出されると、前記検出信号が主制御回路へ送信され、主制御回路からの制御信号によって前記第一侵入防止部材のソレノイド４７２ａ及び前記第二侵入部材のソレノイド４７２ｂが作動し、前記第一侵入防止部材４１０ａ及び前記第二侵入防止部材４１０ｂが同時に前記遊技盤３の表面から突出した第一状態に所定期間され、その後再び前記第二状態に戻る。前記第一状態において、前記第一通常経路ＬＴａを流下してくる遊技球ＰＴａは、前記高確率入賞経路ＬＫへ侵入する前に前記第一侵入防止部材４１０ａに接触して軌道が変更され、また、前記第二通常経路ＬＴｂを流下する遊技球ＰＴｂは前記高確率入賞経路ＬＫへ侵入する前に前記第二侵入防止部材４１０ｂに接触して軌道が変更され、それぞれ前記高確率入賞経路ＬＫへの侵入が防止可能となる。そのため、前記高確率入賞経路ＬＫを流下してくる遊技球ＰＫが、前記第一通常経路ＬＴａを流下してくる遊技球ＰＴａ及び前記第二通常経路ＬＴｂを流下してくる遊技球ＰＴｂの何れとも衝突することなく、前記始動入賞口１０への入賞が可能になる。したがって、前記第二実施例においては、前記高確率入賞経路ＬＫを流下する遊技球ＰＫが、他の経路からの遊技球と衝突して、前記高確率入賞経路ＬＫから軌道が外れるのをより確実に防止することができ、前記高確率入賞経路ＬＫを流下する遊技球ＰＫが前記始動入賞口１０へ入賞する可能性を一層向上させることが可能である。
【００５７】
なお、前記第一状態にされる所定期間としては、前記侵入防止部材用遊技球検出スイッチ４６による遊技球の検出から、前記高確率入賞経路ＬＫを流下する遊技球ＰＫが前記始動入賞口１０へ入賞するまでの時間を予め設定しておいたり、あるいは前記侵入防止部材用遊技球検出スイッチ４６による遊技球の検出時点から、前記始動入賞口１０への遊技球の入賞が前記特別図柄変動開始スイッチ（始動入賞口センサー）で検出された時点までとし、特別図柄変動開始スイッチ（始動入賞口センサー）による遊技球検出によって前記第一侵入防止部材４１０ａ及び前記第二侵入防止部材４１０ｂが第二状態に戻るように設定してもよい。
【００５８】
なお、前記第一侵入防止部材４１０ａ及び前記第二侵入防止部材４１０ｂの作動は、前記高確率入賞経路ＬＫを流下してくる遊技球ＰＫが、前記第一通常経路ＬＴａを流下してくる遊技球ＰＴａ及び前記第二通常経路ＬＴｂを流下してくる遊技球ＰＴｂの何れとも衝突しなければ、同時でなくてもよい。例えば、前記侵入防止部材用遊技球検出スイッチ４６による遊技球の検出に基づき、まず前記第一侵入防止部材４１０ａが前記第一状態になり、その後所定時間遅れて前記第二侵入防止部材４１０ｂが前記第一状態になり、また、前記第二状態に戻る際には、まず前記第二侵入防止部材４１０ｂが前記第二状態に戻り、続いて前記第一侵入防止部材４１０ａが前記第二状態に戻るように設定したり、あるいはそれらの逆の順序にしてもよい。
【００５９】
図９は第三実施例の遊技機１Ａの正面図、図１０はその遊技領域の右側部分を示す正面図である。なお、前記第一実施例あるいは第二実施例と同様の構成部分は、前記第一実施例あるいは第二実施例で用いた符号と同じ符号を使用し、またその部分の説明については省略あるいは簡略にする。
【００６０】
第三実施例の遊技機１Ａは、前記第一実施例及び第二実施例における始動入賞口１０の他に遊技領域６の右端下部に第二始動入賞口９５０を備え、かつ遊技領域６の左側の遊技球流動可能空間が右側よりも大きくなるように図柄表示装置９００（請求項５の電気的遊戯装置に相当する）が配設されている。前記図柄表示装置９００は、前記遊技領域６の中央に前記第一実施例及び第二実施例と同様の特別図柄表示部４２を備え、さらに前記特別図柄表示部４２の左下には普通図柄表示部４３を備える。符号９００ａは枠部である。
【００６１】
前記図柄表示装置９００における前記特別図柄表示部４２の下方位置には、遊技球転動部材として前記ステージ４４が設けられ、前記ステージ４４の中央の前記遊技球誘導部４５の直下方向に前記始動入賞口（本実施例では第一始動入賞口）１０に至る高確率入賞経路（図６のＬＫ、本実施例では第一高確率入賞経路に相当する。）が設けられ、前記高確率入賞経路の両側に前記第二実施例と同様の前記第一侵入防止部材４１０ａと前記第二侵入防止部材４１０ｂが、前記第一状態と前記第二状態間を変化可能に配設されている。
【００６２】
また前記図柄表示装置９００内の右側部分には、上部に遊技球の入口９２１が設けられると共に下部に遊技球の出口９２２が設けられ、前記遊技球の入口９２１から遊技球が前記図柄表示装置９００内に進入し、前記図柄表示装置９００内を通って前記遊技球の出口９２２から排出されるようになっている。前記遊技球の出口９２２は第二ステージ９３０上の左端（遊技領域６の中央寄り）に位置し、前記遊技球の出口９２２から排出された遊技球が、図１０のように前記第二ステージ９３０上の転動部（揺動部）９３０ａ上を左右に転動（揺動）可能になっている。なお、前記第二ステージ９３０は、第二遊技球転動部材に相当し、それに対して前記遊技領域中央のステージ４４は第一ステージ及び第一遊技球転動部材に相当する。前記第二ステージ９３０は、前記第一実施例及び第二実施例のステージ４４と同様に、金属板状が弧状に湾曲したものからなり、中央が下方へ窪んだ凹形状の前記遊技球誘導部９３３となっている。前記遊技球誘導部９３３の下面の前方側（遊技者側）は下方へ傾斜して前記遊技球誘導部９３３の遊技球を直下方向へ落下し易くしている。なお、前記第二ステージ９３０は、前記遊技球誘導部９３３の位置を基準として、後記する侵入防止部材９４１とは反対側（すなわち遊技領域の端側）の転動部９３０ｂからは遊技球が落下できないようにされている。本実施例では、前記反対側の転動部９３０ｂについてはカバー９３１で覆われている。
【００６３】
前記遊技球誘導部９３３には、前記遊技球誘導部９３３に遊技球が進入したことを検出する第二侵入防止部材用遊技球検出スイッチ（請求項１及び２の侵入防止部材用遊技球検出手段に相当する）９５１が遊技盤３の裏側に設けられている。前記第二侵入防止部材用遊技球検出スイッチ９５１による検出信号は、前記主制御回路へ送信される。なお、前記第二侵入防止部材用遊技球検出スイッチ９５１の位置は、後記する第二高確率入賞経路ＬＫａにおける第三通常経路ＬＴｃとの交差位置Ｚａより上方の遊技盤３の裏側として、前記第二高確率入賞経路ＬＫａに遊技球が進入したことを検出するようにしてもよい。
【００６４】
前記遊技球誘導部９３３の直下方向には、第二始動入賞口９５０が設けられている。前記第二始動入賞口９５０は、二つの可動片９５０ａ，９５０ｂが、前記始動入賞口（第一始動入賞口）１０の可動片１０ａ、１０ｂと同様に裏側のソレノイド（図示せず）によって拡開可能とされ、拡開時には前記第二始動入賞口９５０への遊技球の入賞を容易にしている。
【００６５】
前記第二ステージ９３０の前記遊技球誘導部９３３から直下方向へ流下した遊技球は、前記遊技球誘導部９３３から第二始動入賞口９５０へ向かう第二高確率入賞経路ＬＫａを通り、前記第二始動入賞口９５０へ入賞可能になる。また、前記第二高確率入賞経路ＬＫａに対して前記遊技領域６の端とは反対側（前記遊技領域６の中央寄り側）のみに、第三通常経路ＬＴｃ（請求項１の通常経路に相当する。）が形成されている。前記第三通常経路ＬＴｃは、前記図柄表示装置９００における第二ステージ９３０の転動部（揺動部）９３０ａから流下する遊技球や、前記図柄表示装置９００外から流下する遊技球が前記第二高確率入賞経路ＬＫａと交差するように流下する経路であり、前記遊技盤３の誘導釘等によって遊技球が誘導される経路である。
【００６６】
前記第三通常経路ＬＴｃの途中には、前記第三通常経路ＬＴｃと前記第二高確率入賞経路ＬＫａとの交差位置Ｚａよりも前記第三通常経路ＬＴｃの上流側（前記交差位置Ｚａに対して前記第三通常経路ＬＴｃからの遊技球進入側）に第三侵入防止部材９４１（請求項１の侵入防止部材に相当する）が設けられている。前記第三通常経路ＬＴｃを流下してきた遊技球ＰＴｃは、前記第三侵入防止部材９４１により前記第二高確率入賞経路ＬＫａへの侵入防止が可能となる。
【００６７】
前記第三侵入防止部材９４１は、前記第一実施例及び第二実施例の侵入防止部材４１、第一侵入防止部材４１０ａ及び第二侵入防止部材４１０ｂと同様に、遊技盤の裏面に設けられたソレノイド（請求項１及び２における駆動手段に相当する）によって、前記遊技盤３の表面から突出した第一状態と、前記遊技盤３の表面から後退した第二状態間を前進後退可能とされている。前記第一状態においては、前記第三通常経路ＬＴｃを流下する遊技球ＰＴｃは前記第二高確率入賞経路ＬＫａへ侵入する前に前記第三侵入防止部材９４１に接触して軌道が変更され、前記第二高確率入賞経路ＬＫａへの侵入が防止可能となる。それに対して前記第二状態においては、前記第三通常経路ＬＴｃを流下する遊技球ＰＴｃは、前記第三侵入防止部材９４１と接触することなく流下し、前記第二高確率入賞経路ＬＫａへの侵入防止不可能となる。
【００６８】
また、前記第三侵入防止部材９４１は、通常は前記遊技盤３の表面から後退した第二状態とされる。そのため、前記第三通常経路ＬＴｃを流下してくる遊技球ＰＴｃは、前記第三侵入防止部材９４１と接触することなく流下する。前記第二始動入賞口９５０の付近には、前記第三侵入防止部材９４１と接触することなく前記第三通常経路ＬＴｃを流下してくる遊技球ＰＴｃのための流下経路として、前記遊技球ＰＴｃが前記第二始動入賞口９５０へ入賞したり、前記第三通常経路ＬＴｃと前記第二高確率入賞経路ＬＫａとの交差位置Ｚａを超えて流下したりすることが可能な経路が形成されている。
【００６９】
それに対し、前記第三侵入防止部材用遊技球検出スイッチ（侵入防止部材用遊技球検出手段）９５１により、前記遊技球誘導部９３３に遊技球が進入したこと（前記侵入防止部材用遊技球検出スイッチ９５１が前記第二高確率入賞経路ＬＫａに設けられている場合には前記第二高確率入賞経路ＬＫａに遊技球が進入したこと）が検出されると、前記検出信号が主制御回路へ送信され、主制御回路からの制御信号によって前記第三侵入防止部材のソレノイドが作動し、前記第三侵入防止部材９４１が前記遊技盤３の表面から突出した第一状態に所定期間され、その後再び前記第二状態に戻る。前記第一状態において、前記第三通常経路ＬＴｃを流下してくる遊技球ＰＴｃは、前記第二高確率入賞経路ＬＫａへ侵入する前に前記第三侵入防止部材９４１に接触して軌道が変更され、前記第二高確率入賞経路ＬＫａへの侵入が防止可能となる。そのため、前記第二高確率入賞経路ＬＫａを流下してくる遊技球ＰＫａは、前記第三通常経路ＬＴｃを流下してくる遊技球ＰＴｃと衝突することなく、前記第二始動入賞口９５０へ入賞することが可能になる。
【００７０】
このように、前記第三実施例においては、前記第二高確率入賞経路ＬＫａを流下する遊技球ＰＫａが、他の経路からの遊技球と衝突して、前記第二高確率入賞経路ＬＫａから軌道が外れるのを防止可能なため、前記第二高確率入賞経路ＬＫａを流下する遊技球ＰＫａが前記第二始動入賞口９５０へ入賞する可能性を向上させることが可能になる。
【００７１】
また、前記第三実施例において、前記遊技領域６の左側へ遊技球が打ち込まれた場合には、前記第二実施例と同様に、前記第一侵入防止部材４１０ａ及び前記第二侵入防止部材４１０ｂが作動し、前記第一始動入賞口１０や他の入賞口への入賞、あるいは前記アウト口１７へ向けて、遊技球が流下する。以上、第三実施例においては、遊技領域の端側に、前記第二高確率入賞経路ＬＫａ及び前記第三侵入防止部材９４１を配置した構成にしているが、図示の例に限るものではなく、例えば、第一実施例及び第二実施例のような遊技領域の中央部において、前記第二通常経路ＬＴｂが予め存在しないように設定されている場合に、この第三実施例のように遊技領域の端側に高確率入賞経路及び通常経路を配設してもよい。
【００７２】
なお、本発明の侵入防止部材は、誘導釘以外の部材により構成されるのが好ましい。理由としては、誘導釘を侵入防止部材として用いた場合には遊技球の前記高確率入賞経路への侵入防止の調整が困難となるためである。
【００７３】
本発明は、前記実施例に限定されず、発明の趣旨を逸脱しない範囲において構成の一部を適宜に変更して実施することができる。例えば、前記侵入防止部材用遊技球検出スイッチ（侵入防止部材用検出手段）が遊技球の検出信号を送信し、それによって前記侵入防止部材が第一状態になるように設定されているが、前記侵入防止部材用遊技球検出スイッチを遊技球が通過する際に遊技球の自重によって前記侵入防止部材が第一状態になるような構成（例えばシーソー式構造）でもよい。また、前記侵入防止部材は、遊技球を前記高確率入賞経路に侵入防止可能な第一状態と侵入防止不可能な第二状態間を可動とするために前進後退可能な構成となっているが、前記侵入防止部材が、前記侵入防止部材により遊技球を前記高確率入賞経路に侵入防止可能な第一状態と侵入防止不可能な第二状態とに可動するものであればどのような構成であってもよい。
【００７４】
また、前記始動入賞口は、遊技球が入球によって入賞するものに限られず、通過によって入賞するものであってもよい。また、前記実施例においては、始動入賞口付近に高確率入賞経路や侵入防止部材等を設けたが、それに限るものではなく他の入賞口付近に高確率入賞経路や侵入防止部材等を設けてもよい。その場合、前記始動入賞口のように遊技者にとって入賞の価値の高い入賞口付近に高確率入賞経路や侵入防止部材等を設けることにより、本発明の効果がより高まる。更にまた、前記第三実施例では、遊技領域の中央と右端の両方に始動入賞口を設けたが、遊技領域の中央に設けず、遊技領域の端のみに設けるようにしてもよい。更に、本実施例では、本発明を所謂第１種と称される弾球遊技機に適用しているが、所謂第２種や３種等の弾球遊技機に適用してもよい。なお、本実施例において、前記通常経路や高確率入賞経路を遊技球が流下する構成にしているが、ここでいう「流下する」とは、「誘導する」という意味も含まれている。
【００７５】
以上より、高確率入賞経路を流下中の遊技球が通常経路から流下する遊技球に衝突することにより、高確率入賞経路を流下中の遊技球が高確率入賞経路から軌道が外れ、始動入賞口に入賞するはずの遊技球が始動入賞口に入賞しないという可能性が低減されるため、遊技者は安心して、高確率入賞経路を流下する遊技球を見ることが可能であり、更に侵入防止部材が第二状態を有することにより、高確率入賞経路に遊技球が存在しない場合において、通常経路を流下してくる遊技球も始動入賞口に入賞することが可能であり、通常経路を流下してくる遊技球が著しく始動入賞口に入賞し難くなる虞を低減することが可能であるため、趣向性が高まる。
【図面の簡単な説明】
【００７６】
【図１】本発明の第一実施例に係る弾球遊技機全体を示す正面図である。
【図２】同実施例におけるステージ（遊技球転動部材）から始動入賞口付近を示す正面図である。
【図３】同実施におけるステージ（遊技球転動部材）の一部を示す斜視図である。
【図４】図２のＡ−Ａ断面図である。
【図５】同弾球遊技機における電気制御を簡略に示すブロック図である。
【図６】第二実施例における侵入防止部材が配設された弾球遊技機の一部を示す正面図である。
【図７】図６のＢ−Ｂ断面図である。
【図８】図６のＣ−Ｃ断面図である。
【図９】第三実施例に係る弾球遊技機全体を示す正面図である。
【図１０】第三実施例における第二始動入賞口及び第二高確率入賞経路付近を示す正面図である。
【符号の説明】
【００７７】
３  遊技盤
６  遊技領域
９，９００  図柄表示装置
１０，９５０  始動入賞口（入賞領域、特定入賞領域）
４１，４１０ａ，４１０ｂ，９４１  侵入防止部材
４４，９３０  ステージ（遊技球転動部材）
４５，９３３  遊技球誘導部
４６，９５１  侵入防止部材用遊技球検出スイッチ（侵入防止部材用遊技球検出手段）
４７，４７２ａ，４７２ｂ  ソレノイド（駆動手段）
ＬＫ，ＬＫａ  高確率入賞経路
ＬＴ，ＬＴａ，ＬＴｂ，ＬＴｃ  通常経路
【図１】
2005131151.tif 000003
【図２】
2005131151.tif 000004
【図３】
2005131151.tif 000005
【図４】
2005131151.tif 000006
【図５】
2005131151.tif 000007
【図６】
2005131151.tif 000008
【図７】
2005131151.tif 000009
【図８】
2005131151.tif 000010
【図９】
2005131151.tif 000011
【図１０】
2005131151.tif 000012